(57)【要約】【課題】  簡単な構造でキュー全体のウエイトバランスを自由に細かく調整できるキューを提供する。【解決手段】  バット１０とシャフト２０との端部を接合部材２により接合して棒状に形成されてバット１０の後端側に第１中空孔１０ａを穿設して内部にウエイトバランスを調整する第１重錘１２を収納したビリヤードのキューであって、このバット１０及びシャフト２０を棒状に接合するお互いの端部に接合部材２を設けるための第２中空孔２０ａ、２０ｂを各々穿設し、このシャフト２０側の第２中空孔２０ｂにウエイトバランスを調整可能な第２重錘２２を収納して接合部材２のジョイント筒体２４を設ける。【選択図】      図１
2005168934.tif 000002
【特許請求の範囲】
【請求項１】
バットとシャフトとの端部を接合部材により接合して棒状に形成され、前記バットの後端側に第１中空孔を穿設して内部にウエイトバランスを調整する第１重錘を収納したビリヤードのキューにおいて、
前記バット及びシャフトを棒状に接合するお互いの端部に前記接合部材を設けるための第２中空孔を各々穿設し、このバットまたはシャフトいずれか一方の前記第２中空孔にウエイトバランスを調整可能な第２重錘を収納して前記接合部材を設けたことを特徴とするキュー。
【請求項２】
前記接合部材は、前記バットまたはシャフトいずれか一方の前記第２中空孔に固定して棒状の雄ネジを突設するジョイントピンと、他方の前記第２中空孔内に収納してほぼ筒状で内周に雌ネジを有したジョイント筒体とを各々備え、お互いに螺合することで前記バットとシャフトとを棒状に接合することを特徴とする請求項１に記載のキュー。
【請求項３】
前記接合部材は、前記バットまたはシャフトいずれか一方の前記第２中空孔に固定して棒状の雄ネジを突設するジョイントピンと、他方の前記第２中空孔内周に直接雌ネジを有したジョイント孔とを各々備え、お互いに螺合することで前記バットとシャフトとを棒状に接合することを特徴とする請求項１に記載のキュー。
【請求項４】
前記第２中空孔内には、前記ジョイント筒体または前記ジョイント孔を設けた終端から更に筒状で内周に雌ネジを有した重錘用ジョイントを連設し、前記第２重錘を螺合して収納することを特徴とする請求項２または３に記載のキュー。
【請求項５】
前記ジョイント筒体及び前記重錘用ジョイントは、一体に形成して前記第２中空孔内に設けたことを特徴とする請求項４に記載のキュー。
【請求項６】
前記第２重錘は、前記第２中空孔内で螺合して収納する後端に、頭部を有するネジまたは頭部を有しないネジいずれかを選択的に用いることを特徴とする請求項４または５に記載のキュー。
【発明の詳細な説明】
【技術分野】
【０００１】
本発明は、キューに係り、より詳細には、バットとシャフトとの端部を接合して棒状に形成され、バットの後端側に第１中空孔を穿設して内部にウエイトバランスを調整する第１重錘を収納したビリヤードのキューに関する。
【背景技術】
【０００２】
従来、ビリヤードのキューは、プレーヤーの体格やプレイスタイルが様々なことから各プレーヤーに適した重さ、バランスに合わせて調節することが最も重要であり、例えば、球を突く先端から後端まで延在する棒状体内に中空孔を穿設して内部に重錘を収納して重心位置（ウエイトバランス）を調整する構造が知られていた。
【特許文献１】実公昭３８−４３５１号公報（第１頁、第１）
【０００３】
前者の方法による例を、図１０および図１１を参照して説明する。図１０は、重心位置を調節可能な従来のキューの一実施形態を示す構成図である。
図１０に示すように、従来のキューの一実施形態は、球を突く先端側を形成するシャフト９０と後端側を形成するバット８０とを結合部７２で結合した棒状の本体７０を備え、この本体７０内の中心に中空孔７０ａを穿設して後端（バット８０の後端）から摘手８３に結合して延在する螺杆８４を挿入し、この螺杆８４に摺動自在の重錘８２を螺合する構造を備えている（例えば、特許文献１参照）。
このような従来のキューの一実施形態は、摘手８３をもって螺杆８４を右または左に回転させることで、これに螺合している重錘８２が中空孔７０ａ内で前または後に移動して重心位置を適宜調節可能にしている。
【０００４】
一方、これとは異なり中空孔内の内部構造をより簡略化した従来のキューの他の実施形態がある。図１１は、このような内部構造を簡略化した従来のキューの他の実施形態を示す構成図である。
図１１に示すように、従来のキューの他の実施形態は、バット１１０とシャフト１２０との端部を接合部材１０２により接合して棒状に形成する本体１００を備え、このバット１１０の後端に第１中空孔１１０ａを穿設して内部にウエイトバランスを調整する重錘１１２を収納している。この重錘１１２は、ネジ形状を有しており、バット１１０後端の第１中空孔１１０ａから挿入して内部に螺合することで、本体１００全体のウエイトバランスを調整可能にしている。また、接合部材１０２は、バット１１０及びシャフト１２０を接合するお互いの端部に第２中空孔１１０ｂ、１２０ｂを各々穿設して配置しており、バット１１０側の第２中空孔１１０ｂに装着して棒状の雄ネジを突設するジョイントピン１１４と、シャフト１２０側の第２中空孔１２０ｂ内に収納して略筒状で内周に雌ネジを有したジョイント筒体１２４とを各々備え、お互いに螺合することでバット１１０とシャフト１２０とを棒状に接合している。
このような従来のキューの他の実施形態では、ネジ状に形成した重錘１１２の重さにより本体１００のウエイトバランスを調整しており、このネジの形状またはネジを形成するジュラルミン或いはステンレスなどの材質を変えることで重心位置を変えていた。
【０００５】
このように、従来のキューは、棒状の本体内に中空孔を穿設して１つの重錘を収納しており、プレーヤーの体格やプレイスタイルなどに合わせて各プレーヤーに適した重さ、バランスに調節していた。従って、従来のキューは、本体全体における重心位置を自由に調節でき、全体のバランスが重要となる押しや引きなどの難しい技術を良好に行えるように形成していた。
【発明の開示】
【発明が解決しようとする課題】
【０００６】
しかしながら、このような従来のキューでは、図１０及び図１１に示したいずれかの本体７０、１００においても、１箇所穿設した中空孔（中空孔７０ａ、第１中空孔１１０ａ）内に１つだけ重錘８２、１１２を収納する構造のため、この１つの重錘８２、１１２だけでは、例えば、キュー全体の重さを変えずに重心バランスのみを調整、またはバランスを変えずに重さのみを調整するなどの棒状に延在する本体全体のウエイトバランスを細かく調整することが困難であるという不具合があった。
本発明はこのような課題を解決し、簡単な構造でキュー全体のウエイトバランスを自由に細かく調整できるキューを提供することを目的とする。
【課題を解決するための手段】
【０００７】
本発明は上述の課題を解決するために、バットとシャフトとの端部を接合部材により接合して棒状に形成されてバットの後端側に第１中空孔を穿設して内部にウエイトバランスを調整する第１重錘を収納したビリヤードのキューであって、バット及びシャフトを棒状に接合するお互いの端部に接合部材を設けるための第２中空孔を各々穿設し、このバットまたはシャフトいずれか一方の第２中空孔にウエイトバランスを調整可能な第２重錘を収納して接合部材を設ける。
【０００８】
ここで、接合部材は、バットまたはシャフトいずれか一方の第２中空孔に固定して棒状の雄ネジを突設するジョイントピンと、他方の第２中空孔内に収納してほぼ筒状で内周に雌ネジを有したジョイント筒体とを各々備え、お互いに螺合することでバットとシャフトとを棒状に接合することが好ましい。また、接合部材の他の実施例は、バットまたはシャフトいずれか一方の第２中空孔に固定して棒状の雄ネジを突設するジョイントピンと、他方の第２中空孔内周に直接雌ネジを有したジョイント孔とを各々備え、お互いに螺合することでバットとシャフトとを棒状に接合することが好ましい。また、第２中空孔内には、ジョイント筒体またはジョイント孔を設けた終端から更に筒状で内周に雌ネジを有した重錘用ジョイントを連設し、第２重錘を螺合して収納することが好ましい。また、ジョイント筒体及び重錘用ジョイントは、一体に形成して第２中空孔内に設けることが好ましい。また、第２重錘は、第２中空孔内で螺合して収納する後端に、頭部を有するネジまたは頭部を有しないネジいずれかを選択的に用いることが好ましい。
【発明の効果】
【０００９】
以上詳細に説明したように本発明によるキューによれば、シャフトとバットとからなる本体内に第１重錘と第２重錘とを設けているため、この２つの重錘によりキュー全体の重さを変えずに重心バランスのみを調整、またはバランスを変えずに重さのみを調整するなどの棒状に延在する本体全体のウエイトバランスを細かく調整することが可能になる。
【発明を実施するための最良の形態】
【００１０】
次に、添付図面を参照して本発明によるキューの実施の形態を詳細に説明する。図１は、本発明によるキューの第１の実施形態を示した構成図である。また、図２は、図１に示した第１重錘１２を示す図である。また、図３は、図１に示した第２重錘２２を示す図であり、図３（ａ）は頭を有する第２重錘２２ａを、図３（ｂ）は頭を有しない第２重錘２２ｂを各々示している。また、図４は、図１に示したキューの内部構造を示す図であり、図４（ａ）は頭を有する第２重錘２２ａを用いた状態を、図４（ｂ）は頭を有しない第２重錘２２ｂを用いた状態を各々示している。また、図５は、図１に示したバット１０及びシャフト２０に各々設けたジョイントピン１４とジョイント筒体２４とを入替えた他の実施例を示す図である。また、図６は、本発明によるキューの第２の実施形態を示した構成図であり、図６（ａ）は頭を有する第２重錘２２ａを用いた状態を、図６（ｂ）は頭を有しない第２重錘２２ｂを用いた状態を各々示している。また、図７は、図６に示したバット１０及びシャフト２０に各々設けたジョイントピン１４と一体型ジョイント３０とを入替えた他の実施例を示す図である。また、図８は、本発明によるキューの第３の実施形態を示した構成図であり、図８（ａ）は頭を有する第２重錘２２ａを用いた状態を、図８（ｂ）は頭を有しない第２重錘２２ｂを用いた状態を各々示している。また、図９は、図８に示したバット１０及びシャフト４０に各々設けたジョイントピン１４とジョイント孔４１とを入替えた他の実施例を示す図である。
【実施例１】
【００１１】
図１に示すように、本発明によるキューの第１の実施形態は、図１１に示した従来技術と同様に、バット１０とシャフト２０との端部を接合部材２により接合して棒状に形成された本体１を備え、このバット１０の後端側に第１中空孔１０ａを穿設して内部にウエイトバランスを調整する第１重錘１２を収納している。また、第１の実施形態では、図１１に示した従来技術とは異なり、バット１０及びシャフト２０を接合するお互いの端部に接合部材２を設けるための第２中空孔１０ｂ、２０ｂを各々穿設し、このバット１０またはシャフト２０いずれか一方（図１ではシャフト２０側）の第２中空孔２０ｂにウエイトバランスを調整可能な第２重錘２２を収納して端部に接合部材２を覆うように装着して設けている。従って、第１の実施形態では、図１に示したバット１０の後端側とシャフト２０の後端側との２箇所に、各々第1重錘１２及び第２重錘２２を配置し、この２つの重錘により全体のウエイトバランスを細かく調整可能に設けたものである。
【００１２】
即ち、キューのウエイトバランスを調整する場合、主に、プレーヤーが競技中に把持するバット側の範囲内に重錘を設けて移動または重さを変えることで調整している。この際、図１０及び１１に示した従来技術のようにバット内に１つの重錘を設けた構造では、ウエイトバランスを種々のプレーヤーに合わせて微調整することは限界がある。そこで、本発明では、プレーヤーが把持するバットの後端と、このバット及びシャフトを接合する接合部近傍とに各々２つの重錘を設けることで、バットの両端でプレーヤーに適したウエイトバランスの調整を可能にし、より細かい微調整ができる構造に形成している。
【００１３】
ここで、バット１０とシャフト２０とは、バット１０の第２中空孔１０ｂに挿入することで固定して棒状の雄ネジを突設するジョイントピン１４と、他方のシャフト２０側の第２中空孔２０ｂ内に収納してほぼ筒状で内周に雌ネジを有したジョイント筒体２４とを各々備えた接合部材２を設け、この接合部材２をお互いに螺合することで棒状に接合している。また、バット１０とシャフト２０とは、例えば、木材、グラスファイバー、カーボンファイバー、グラファイト、炭素繊維などの材質により形成している。
【００１４】
また、バット２０は、従来技術と同様に後端から第１中空孔１０ａを穿設して第１重錘１２を挿入して螺合させるとともに、この第１中空孔１０ａをバンパー１３により封止して第１重錘１２が露出しないように収納している。そして、第１重錘１２は、頭を有した六角ボルト、ナベ、サラ、トラスなどのネジ状（図２ではサラネジ状）に形成しており、例えば、ジュラルミン或いはステンレスなどの材質及び形状（長さ）等を変えることで、バット１０の第１中空孔１０ａ内でウエイトバランスの調整に適した重さに形成している。また、第１重錘１２は、図２に示したネジ状の頭に工具（図示せず）を係合して回転させることが可能な係合部（図２では十字溝）を形成している。この係合部は、図２に示した溝状に形成することに限定されるものではなく、例えば、凹状の孔、突出した突起などの形状に形成して工具の先端を係合させても良い。このように第１重錘１２は、バット１０後端の第１中空孔１０ａに挿入して、この後端から工具を更に差し込んで頭の係合部に係合させることで、回転させて螺合できるように形成している。
【００１５】
一方、シャフト２０は、第２中空孔２０ｂ内でジョイント筒体２４の終端から更に筒状で内周に雌ネジを有した重錘用ジョイント２３を連設しており、この重錘用ジョイント２３に第２重錘２２を螺合して収納するように設けている。また、第２重錘２２は、第２中空孔２０ｂ内で重錘用ジョイント２３に螺合して収納する際、図３（ａ）に示すように螺合方向の後端に頭部を有する第２重錘２２ａと、図３（ｂ）に示すように頭部を有しない第２重錘２２ｂとの二種類を設けてあり、このいずれかをウエイトバランスの状態に応じて選択的に使用している。また、この第２重錘２２は、第１重錘１２と同様に、ジュラルミン或いはステンレスなどの材質及び形状（長さ）等を変えることでウエイトバランスの調整に適した重さに形成し、一端側に工具（図示せず）を係合して回転させる係合部を形成している。この第２重錘２２は、重錘用ジョイント２３に螺合した状態でシャフト２０の第２中空孔２０ｂ内に収納するとともに、この第２中空孔２０ｂを塞ぐようにジョイント筒体２４を装着することで内部に収納されている。そして、第２重錘２２は、外部からジョイント筒体２４の中空部（ジョイントピン１４を螺合する雌ネジ部）内を介して前述した工具を挿入することで、この工具の先端が頭部の係合部に係合して所定の方向に回転させて螺合するように設けている。
【００１６】
このように形成した本発明によるキューの第１実施形態では、図４（ａ）に示すように、前述した全ての部品をバット１０とシャフト２０とに各々取り付け、ジョイント筒体２４とジョイントピン１４とをお互いに締結することで棒状に連結される。この際、シャフト２０側では、第２中空孔２０ｂの端部に装着したジョイント筒体２４にジョイントピン１４を締結する前に、ジョイント筒体２４の中空部内を介して工具を挿入して、第２重錘２２の係合部に係合させてウエイトバランスが良好にとれる所望の位置まで締結させる。これによりシャフト２０側では、第２重錘２２により本体１全体のウエイトバランスを最も適した状態に調整できる。一方、バット１０側では、後端部に装着したバンパー１３を取り外すことで、第１中空孔１０ａ内に工具を挿入して第１重錘１２を所望の位置まで適宜締結させ、ウエイトバランスを最も適した状態に調整する。
【００１７】
ところで、第２重錘２２は、図４（ａ）に示したように頭部を有した第２重錘２２ａを用いることに限定されるものではなく、図３（ｂ）に示した頭部を有しない第２重錘２２ｂを用いることも可能である。このような頭部を有しない第２重錘２２ｂを用いた場合、図４（ｂ）に示すように、重錘用ジョイント２３の一端側に頭部が当接することなく、終端まで螺合させることが可能なため、図４（ａ）に示したバット１０側の第１重錘１２との間隔を自由に設定できウエイトバランスのより細かい微調整が可能になる。
【００１８】
さらに、ジョイント筒体２４とジョイントピン１４とは、図４（ａ）に示したようにバット１０側にジョイントピン１４をシャフト２０側にジョイント筒体２４を各々設けることに限定されるものではなく、例えば、バット１０にジョイント筒体２４を、シャフト２０にジョイントピン１４を各々設けることも可能である。このようにバット１０にジョイント筒体２４を、シャフト２０にジョイントピン１４を各々設けた場合、図５に示すように、バット１０側に重錘用ジョイント２４及び第２重錘２２がジョイント筒体２４とともに移動し、このバット１０側で第１重錘１２及び第２重錘２２の両方を調整可能に設けている。ここで、バット１０側に設けたジョイント筒体２４とともに重錘用ジョイント２３も同時に移動しており、これはジョイントピン１４側に重錘用ジョイント２３を設けると第２重錘２２を回転させる工具を挿入する中空部がなくなるためである。即ち、ジョイント筒体２４と重錘用ジョイント２３とは、第２中空孔２０ｂ内に常に一対に設けられて連設している。このようにシャフト２０側にジョイントピン１４を、バット１０側にジョイント筒体２４を各々設けると、第１重錘１２及び第２重錘２２の両方をバット１０側で全て調整できるため、バランス調整または組み立てなどの作業が容易になる。
【００１９】
このように本発明によるキューの第１実施形態によると、バット１０及びシャフト２０からなる棒状の本体１内に第１重錘１２と第２重錘２２とを備えることで、本体１内の後端側とほぼ中央の接続部との２箇所でプレイヤーに適した細かいウエイトバランスの調整が可能になる。即ち、キュー全体の重さを変えずに重心バランスのみを調整、またはバランスを変えずに重さのみを調整するなどの微調整が容易にできる。
【実施例２】
【００２０】
次に、図６及び図７を参照して、本発明によるキューの第２の実施形態を詳細に説明する。ここで、第２の実施形態は、図６及び７に示した一体型ジョイント３０以外は全て第１の実施形態と同じ構成要素であり、同一の構成要素には同じ符号を記載するとともに、重複する説明は省略する。
【００２１】
図６（ａ）に示すように、本発明によるキューの第２の実施形態は、第１の実施形態と同様に、バット１０とシャフト２０との端部を接合部材２により接合して棒状に形成する本体１を備え、このバット１０の後端側に第１中空孔１０ａを穿設して内部にウエイトバランスを調整する第１重錘１２を収納している。また、第２の実施形態は、バット１０及びシャフト２０を接合するお互いの端部に第２中空孔１０ａ、２０ａを各々穿設して接合部材２を設けている。この接合部材２は、第１の実施形態とは異なり、バット１０側の第２中空孔１０ａにジョイントピン１４を備え、このジョイントピン１４を螺合するシャフト２０側の第２中空孔２０ｂに一体型ジョイント３０を設けている。この一体型ジョイント３０は、図４に示した第１の実施形態におけるジョイント筒体２４と第２重錘２２を螺合する重錘用ジョイント２３とを一体に形成したものであり、これにより部品点数を低減して組み立て工数を削減している。
【００２２】
ここで、第２重錘２２は、図６（ａ）に示した頭部を有した第２重錘２２ａを用いることに限定されるものではなく、第１の実施形態のように図３（ｂ）に示した頭部を有しない第２重錘２２ｂを用いることも可能である。このような頭部を有しない第２重錘２２ｂを用いた場合、図６（ｂ）に示すように、一体型ジョイント３０の終端まで頭部が当接することなく螺合させることが可能なため、図６（ａ）に示した第１重錘１２との間隔を自由に設定できウエイトバランスのより細かい微調整が可能になる。
【００２３】
さらに、第２の実施形態は、第１の実施形態と同様に、シャフト２０側にジョイントピン１４を、バット１０側に一体型ジョイント３０を各々設けることも可能である。このようにシャフト２０にジョイントピン１４をバット１０に一体型ジョイント３０を各々設けた場合、図７に示すように、一体型ジョイント３０と第２重錘２２とがバット１０側に移動するため、このバット１０側で第１重錘１２及び第２重錘２２の両方を調整することが可能になる。このようにシャフト２０側にジョイントピン１４をバット１０側に一体型ジョイント３０を各々設けることで、第１重錘１２及び第２重錘２２がバット１０側で全て調整でき、バランス調整または組み立てなどの作業が容易になる。
【００２４】
このように、本発明によるキューの第２の実施形態によると、バット１０及びシャフト２０からなる本体１に第１重錘１２及び第２重錘２２を各々設けているため、第１の実施形態と同様の効果を得ることができるとともに、第１の実施形態でのジョイント筒体と重錘用ジョイントとを一体に形成した一体型ジョイント３０を設けることで、部品点数を低減して組み立て工数を削減することができる。
【実施例３】
【００２５】
次に、図８及び図９を参照して、本発明によるキューの第３の実施形態を詳細に説明する。ここで、第３の実施形態は、図８に示したシャフト４０と重錘用ジョイント５０及び図９に示したバット６０以外は全て第１の実施形態と同じ構成要素であり、同一の構成要素には同じ符号を記載するとともに、重複する説明は省略する。
【００２６】
図８（ａ）に示すように、本発明によるキューの第３の実施形態は、第１の実施形態と同様に、バット１０とシャフト４０との端部を接合部材２により接合して棒状に形成する本体１を備え、このバット１０の後端側に第１中空孔１０ａを穿設して内部にウエイトバランスを調整する第１重錘１２を収納している。また、第３の実施形態は、第１の実施形態とは異なり、バット１０及びシャフト４０を接合するお互いの端部に第２中空孔１０ｂ、４０ｂを各々穿設し、このバット１０側の第２中空孔１０ｂに装着して棒状の雄ネジを突設するジョイントピン１４と、他方のシャフト４０側の第２中空孔４０ｂ内周に直接雌ネジを有したジョイント孔４１とを各々備え、お互いに螺合することでバット１０とシャフト４０とを棒状に接合できるように形成している。そして、シャフト４０側の第２中空孔４０ｂには、ジョイント孔４１を形成した後端から第２重錘２２を螺合して固定する重錘用ジョイント５０を設けている。即ち、第３の実施形態では、図４（ａ）に示した第１の実施形態でのジョイント筒体２４を削減してシャフト４０の第２中空孔４０ｂ内に直接雌ネジを形成することで、部品点数を低減して組み立て工数を削減するとともに、第１及び第２の実施形態に比べて本体１全体の重さを軽く形成している。
【００２７】
ここで、第２重錘２２は、図８（ａ）に示した頭部を有した第２重錘２２ａを用いることに限定されるものではなく、第１及び第２実施形態のように、図３（ｂ）に示した頭部を有しない第２重錘２２ｂを用いることも可能である。このような頭部を有しない第２重錘２２ｂを用いた場合、図８（ｂ）に示すように、重錘用ジョイント５０の終端まで頭部が当接することなく螺合させることが可能なため、図８（ａ）に示した第１重錘１２との間隔を自由に設定できウエイトバランスのより細かい微調整が可能になる。
【００２８】
さらに、第３の実施形態は、第１及び第２の実施形態と同様に、シャフト２０側にジョイントピン１４を、バット６０側にジョイント孔６１を各々設けることも可能である。このようにシャフト２０にジョイントピン１４をバット６０にジョイント孔６１を各々設けた場合、図９に示すように、ジョイント孔６１と重錘用ジョイント５０とが同時にバット６０側に移動するため、このバット６０側で第１重錘１２及び第２重錘２２の両方を調整することが可能になり、バランス調整または組み立てなどの作業が容易になる。
【００２９】
このように本発明によるキューの第３の実施形態によると、バット１０及びシャフト２０からなる本体１内に第１重錘１０ａ及び第２重錘２２を各々設け、且つ、ジョイントピン１４を螺合するジョイント孔４１、６１を直接本体１に形成して部品を削減するため、第２の実施形態と同様の効果を得ることができるとともに、これにより第１及び第２の実施形態に比べて本体１全体の重さを軽く形成することができる。
【００３０】
以上、本発明によるキューの実施形態を詳細に説明したが、本発明は前述した実施の形態に限定されるものではなく、その要旨を逸脱しない範囲で変更可能である。
例えば、バットまたはシャフトのいずれか一方にジョイントピンを常に設けた実施形態を詳細に説明したが、これに限定されるものではなく、例えば、ジョイントピンをバットまたはシャフトのいずれかに直接形成しても良い。
【図面の簡単な説明】
【００３１】
【図１】本発明によるキューの第１の実施形態を示した構成図。（実施例１）
【図２】図１に示した第１重錘を示す図。
【図３】図１に示した第２重錘を示す図。
【図４】図１に示したキューの内部構造を示す図。
【図５】図１に示したバット及びシャフトに各々設けたジョイントピンとジョイント筒体とを入替えた他の実施例を示す図。
【図６】本発明によるキューの第２の実施形態を示した構成図。（実施例２）
【図７】図６に示したバット及びシャフトに各々設けたジョイントピンと一体型ジョイントとを入替えた他の実施例を示す図。
【図８】本発明によるキューの第３の実施形態を示した構成図。（実施例３）
【図９】図８に示したバット及びシャフトに各々設けたジョイントピンとジョイント孔とを入替えた他の実施例を示す図。
【図１０】従来のキューの一実施形態を示す構成図。
【図１１】従来のキューの他の実施形態を示す構成図。
【符号の説明】
【００３２】
１    本体
２    接合部材
１０    バット
１０ａ  第１中空孔
１０ｂ  第２中空孔
１２    第１重錘
１３    バンパー
１４    ジョイントピン
２０    シャフト
２０ｂ  第２中空孔
２２    第２重錘
２２ａ  頭を有した第２重錘
２２ｂ  頭を有しない第２重錘
２３    重錘用ジョイント
２４    ジョイント筒体
【図１】
2005168934.tif 000003
【図２】
2005168934.tif 000004
【図３】
2005168934.tif 000005
【図４】
2005168934.tif 000006
【図５】
2005168934.tif 000007
【図６】
2005168934.tif 000008
【図７】
2005168934.tif 000009
【図８】
2005168934.tif 000010
【図９】
2005168934.tif 000011
【図１０】
2005168934.tif 000012
【図１１】
2005168934.tif 000013